(57)【要約】      （修正有）【課題】調理済みの食品を水平に保って運搬をするバッグを提供する。【解決手段】バッグ１は、収納手段２と、第１保持手段３と、第２保持手段４と、運搬手段５と、リング６と、を備える。収納手段２は、板状の底面部２１と、底面部２１の全周と接続し、底面部２１から起立して形成される筒状の側面部２２と、底面部２１と側面部２２とを接続することにより筒状の側面部２２の内側に形成される収納部と、を備える。さらに、収納手段を運搬するための紐状の運搬手段と、第１保持手段および第２保持手段を運搬手段に連結するリングと、を備える。運搬手段の両端はリングに接続されているとともに、第１保持手段および第２保持手段はリングの内輪を通過している。運搬手段が使用者の肩に掛けられて収納手段が吊り下げられた状態で、リングが第１保持手段および第２保持手段に対して相対的に移動することで、収納手段の姿勢が変わり、底面部が水平になる。【選択図】図１
2020065930.tif 000002
【特許請求の範囲】
【請求項１】
所定の面積を有する板状の底面部を有するとともに前記底面部の対向面である上面が開口となって内部を収納部とする収納手段と、
前記収納手段の側面において前記開口の付近に両端が離間して接続されることでアーチ状に取り付けられた紐状の第１保持手段と、
前記収納手段の側面において前記開口の付近であって、かつ、前記第１保持手段とは離間した位置に両端が離間して接続されることでアーチ状に取り付けられた紐状の第２保持手段と、
前記収納手段を運搬するための紐状の運搬手段と、
前記第１保持手段および前記第２保持手段を前記運搬手段に連結するリングと、を備え、
前記運搬手段の両端は前記リングに接続されているとともに、前記第１保持手段および前記第２保持手段は前記リングの内輪を通過しており、
前記運搬手段が使用者の肩に掛けられて前記収納手段が吊り下げられた状態で、前記リングが前記第１保持手段および前記第２保持手段に対して相対的に移動することで、前記収納手段の姿勢が変わり、前記底面部が水平になる
ことを特徴とする運搬容器。
【請求項２】
請求項１に記載された運搬容器において、
前記リングとして、
前記運搬手段の一端に接続され、かつ、内輪に前記第１保持手段を通す第１リングと、
前記運搬手段の他端に接続され、かつ、内輪に前記第２保持手段を通す第２リングと、を有する
ことを特徴とする運搬容器。
【請求項３】
請求項１または請求項２に記載された運搬容器において、
前記第１保持手段および前記第２保持手段において前記リングが移動する部分は所定の幅を有する帯紐であり、
前記第１保持手段および前記第２保持手段と前記リングとはそれぞれ前記所定の幅で接触する
ことを特徴とする運搬容器。
【請求項４】
請求項１から請求項３のいずれかに記載された運搬容器において、
前記収納部にはアルミ箔断熱材による保温シートが設けられている
ことを特徴とする運搬容器。
【請求項５】
請求項１から請求項４のいずれかに記載の運搬容器において、
前記収納手段の側面には、運搬者の腰に巻きついて当該運搬容器を運搬者の体に引き寄せて押し付けるための水平固定ベルトが設けられている
ことを特徴とする運搬容器。
【発明の詳細な説明】
【技術分野】
【０００１】
本発明は、運搬容器に関し、例えば調理済みの食品を運搬する際に用いられる運搬容器に関する。
【背景技術】
【０００２】
従来、ピザやお弁当といった調理済みの食品の運搬に用いられるバッグが知られている。このようなバッグは、例えば高齢者へのお弁当の宅配に用いられる。複数のお弁当が収納されたバックは、徒歩にて運搬される。この際、両手が空くようにするため、台車や手さげバッグではなく、リュックサックや肩掛けバッグであることが好ましい。また、人材不足の影響により、例えば主婦が宅配することがあるため、老若男女を問わずに使用できることが好ましい。
【０００３】
例えば、特許文献１に記載されたソフトクーラー型リュックサックは、調理済みの食品を収納する収納部と、収納部の内部全面に縫着されるアルミ箔断熱材と、を備える。アルミ箔断熱材は、収納部の外部および内部の熱を遮断するため、出来立てのお弁当である場合、保温して運搬することができる。また、アルミ箔断熱材は軽量であるため、老若男女を問わず手軽に背負うことができる。
【先行技術文献】
【特許文献】
【０００４】
【特許文献１】特開２００７−１２５３４７号公報
【発明の概要】
【発明が解決しようとする課題】
【０００５】
ここで、お弁当は、斜めに傾いた状態で運搬されると、液漏れや型崩れの原因となることから、水平に運搬されることが求められる。
しかしながら、リュックサックは、使用者の背中に密着していることから、使用者の姿勢により、収納部の底面の姿勢が安定しないという問題がある。
例えば、使用者が前かがみになった場合、リュックサックの収納部の底面は、使用者の姿勢に合わせて斜めになる。
また、リュックサックは、使用者の背中に配置されることから、運搬時の収納部の状態を視認することができず、収納部が斜めになっていたとしても気づきにくい。
このため、リュックサックの収納部に収納されたお弁当は、斜めに傾いた状態で運搬されてしまうことがあるという問題がある。
【０００６】
本発明の目的は、調理済みの食品を水平に保って運搬をすることができる運搬容器を提供することである。
【課題を解決するための手段】
【０００７】
本発明の運搬容器は、
所定の面積を有する板状の底面部を有するとともに前記底面部の対向面である上面が開口となって内部を収納部とする収納手段と、
前記収納手段の側面において前記開口の付近に両端が離間して接続されることでアーチ状に取り付けられた紐状の第１保持手段と、
前記収納手段の側面において前記開口の付近であって、かつ、前記第１保持手段とは離間した位置に両端が離間して接続されることでアーチ状に取り付けられた紐状の第２保持手段と、
前記収納手段を運搬するための紐状の運搬手段と、
前記第１保持手段および前記第２保持手段を前記運搬手段に連結するリングと、を備え、
前記運搬手段の両端は前記リングに接続されているとともに、前記第１保持手段および前記第２保持手段は前記リングの内輪を通過しており、
前記運搬手段が使用者の肩に掛けられて前記収納手段が吊り下げられた状態で、前記リングが前記第１保持手段および前記第２保持手段に対して相対的に移動することで、前記収納手段の姿勢が変わり、前記底面部が水平になる
ことを特徴とする。
【０００８】
本発明では、
前記リングとして、
前記運搬手段の一端に接続され、かつ、内輪に前記第１保持手段を通す第１リングと、
前記運搬手段の他端に接続され、かつ、内輪に前記第２保持手段を通す第２リングと、を有する
ことが好ましい。
【０００９】
本発明では、
前記第１保持手段および前記第２保持手段において前記リングが移動する部分は所定の幅を有する帯紐であり、
前記第１保持手段および前記第２保持手段と前記リングとはそれぞれ前記所定の幅で接触する
ことが好ましい。
【００１０】
本発明では、
前記収納部にはアルミ箔断熱材による保温シートが設けられている
ことが好ましい。
【００１１】
前記収納手段の側面には、運搬者の腰に巻きついて当該運搬容器を運搬者の体に引き寄せて押し付けるための水平固定ベルトが設けられている
ことを特徴とする運搬容器。
【図面の簡単な説明】
【００１２】
【図１】本発明の一実施形態に係るバッグを示す斜視図である。
【図２】前記バッグを示す斜視図である。
【図３】前記バッグにおけるリングを示す斜視図である。。
【図４】前記バッグの使用方法を示す正面図である。
【図５】前記バッグの使用方法を示す正面図である。
【図６】前記バッグの使用方法を示す背面図である。
【図７】第２実施形態を例示する図である。
【発明を実施するための形態】
【００１３】
（第１実施形態）
以下、本発明の一実施形態を図１から図６に基づいて説明する。
図１および図２は、本発明の一実施形態に係るバッグを示す斜視図である。
バッグ１は、図１に示すように、収納手段２と、第１保持手段３と、第２保持手段４と、収納手段２を運搬するために収納手段２と接続される運搬手段５と、収納手段２と運搬手段５とを接続するリング６と、を備える。
【００１４】
収納手段２は、所定の面積を有する板状の底面部２１と、底面部２１の全周と接続し、底面部２１から起立して形成される筒状の側面部２２と、底面部２１と側面部２２とを接続することにより筒状の側面部２２の内側に形成される収納部７と、収納部７に蓋をする蓋部８と、を備える。
収納手段２の収納部７は、底面部２１および側面部２２により、ボックス状に形成されている。
このため、収納手段２の収納部７には、例えば複数のお弁当を重ねて収納して運搬することができる。
底面部２１は、略矩形状に形成され、所定の面積として複数のお弁当を載置することができる面積を有する。
側面部２２は、底面部２１から所定の長さを有して形成されている。
側面部２２は、例えばお弁当を５個重ねて収納部７に収納したとしても側面部２２から露出しない長さに設計されている。
【００１５】
収納部７は、図２に示すように、底面部２１と側面部２２と蓋部８とに保温シート７０を備える。
保温シート７０は、アルミ箔断熱材である。保温シート７０は、底面部２１と側面部２２と蓋部８とに縫い付けられている。
このため、収納部７に複数のお弁当を収納したとしても、保温シート７０は、底面部２１と側面部２２と蓋部８とからズレることがないため、安定して複数のお弁当を保温することができる。
蓋部８は、収納部７の開口部分を覆うことができる大きさに設計されている。
蓋部８を収納部７の開口部分に覆い被せることで、外気の侵入を防ぎ、あたたかいお弁当を効率的に保温することができる。
【００１６】
第１保持手段３は、収納部７とは反対側の側面部２２に設けられている。
第１保持手段３は、紐状であり、所定の幅を有する帯紐である。
第２保持手段４は、第１保持手段３とは収納部７を挟んで反対側に配置されるとともに収納部７とは反対側の側面部２２に設けられる。
第２保持手段４は、紐状であり、所定の幅を有する帯紐である。
第１保持手段３および第２保持手段４は、側面部２２と接合する接合部３１，３２，４１，４２と、リング６の内輪６０を通るアーチ部３３，４３を備える。
【００１７】
接合部３１，３２，４１，４２は、収納部７の開口部分付近に設けられ、第１保持手段３においては接続部３１と接続部３２を側面部２２の同一面に接合し、第２保持手段３においては接続部４１と接続部４２を側面部２２の同一面に接合することで、第１保持手段３と第２保持手段４がアーチ状になるようにしている。
アーチ部３３は、第１保持手段３において、接合部３１と接合部３２の間に位置している。
アーチ部４３は、第２保持手段４において、接合部４１と接合部４２の間に位置している。
第１保持手段３および第４保持手段４のそれぞれのアーチ部３３，４３はリング６を介して運搬手段５と連結されている。
アーチ部３３，４３がリング６に対して相対的にスライドして位置を変えることで収納手段２の姿勢が変わり、これにより、収納手段２を水平にすることができる。
【００１８】
運搬手段５は、図１および図２に示すように、紐状であり、所定の幅を有する帯紐である。
運搬手段５は、使用者が肩から収納手段２を掛けるための肩掛けであり、運搬手段５の長さを調節するための調節リング５０を有する。
運搬手段５は、リング６を介して第１保持手段３と連結する第１接続部５１と、リング６を介して第２保持手段４と連結する第２接続部５２と、を備える。
【００１９】
リング６としては、第１保持手段３と第１接続部５１とを連結する第１リング６１と、第２保持手段４と第２接続部５２とを連結する第２リング６２と、がある。
第１リング６１および第２リングは、略矩形状に形成されている。
収納手段２は第１保持手段３および第２保持手段４で吊り下げられ、さらに、第１リング６１および第２リング６２を介して運搬手段５と連結されており、アーチ部３３，３４が第１リング６１および第２リング６２に対してその位置をずらすことで、収納手段２はその姿勢を変えることができ、水平を保つことができる。
【００２０】
図３は、リングの斜視図である。
第１リング６１および第２リング６２の内輪６０は細長い長方形であり、内輪６０の長い辺は直線６３である。
第１接続部５１、第２接続部５２、アーチ部３３，４３（第１保持手段３、第２保持手段４）の帯紐の幅は、内輪６０の長い辺の長さと略同じ幅である。
第１保持手段３および第２保持手段４のアーチ部３３，４３が帯紐であるので、リング６１、６２の内輪６０との接触面積が大きくなり、摩擦も大きくなる。
したがって、アーチ部３３，４３とリング６１、６２との接触位置の変位によって水平に調整された収納手段２は、アーチ部３３，４３とリング６１、６２の内輪６０との摩擦により水平調整後の姿勢を保ちやすくなる。
【００２１】
図４から図６は、バッグの使用方法を示す図である。
具体的には、図４は、収納手段２を水平に調整する前の状態を示す図であり、図５は、バッグ１における収納手段２を水平に調整した後の状態を示す図である。
また、図６は、バッグ１における収納手段２を水平に調整した後の使用者の後ろ姿を示す図である。
以下、図４から図６を用いて、バッグ１における収納手段２を水平に調整する方法を説明する。
【００２２】
先ず、図４に示すように、使用者は、バッグ１における運搬手段５を肩にかける。次に、図５に示すように、使用者は、図中の矢印方向に収納手段２を手で押す等して水平になるように収納手段２の傾きを調整する。この際、使用者による収納手段２の傾きを調整する動作に合わせて、リング６１、６２とアーチ部３３，４３との接触位置が変移する。このあと、使用者が収納手段２を常に手で押さえていなくても、アーチ部３３，４３とリング６１、６２の内輪６０との摩擦により、収納手段２は水平に保たれる。
【００２３】
このような本実施形態によれば、以下の作用・効果を奏することができる。
（１）バッグ１は、所定の面積として例えば複数のお弁当を載置することができる面積を有する板状の底面部２１を備える収納手段２を備えるため、安定して例えばお弁当を収納部に収納することができる。
また、保持手段３、４と運搬手段５とはリング６１、６２を介して連結されている。
これにより、収納手段２の底面部２１が水平になっていない場合であっても、リング６１、６２とアーチ部３３，４３とを相対的に動かすことで、収納手段２の傾きを調整することができる。
したがって、バッグ１により、調理済みの食品を水平を保って運搬することができる。
【００２４】
（２）使用者は、運搬手段５を肩掛けとして用いることで、両手が空く。また、リュックのように背負うわけではないから、使用者は簡単にバッグ１から荷物を出したり、バッグ１に荷物を入れたりできる。
（３）バッグ１における収納手段２は、第１リング６１および第２リング６２により、２か所で保持される。収納手段２は、１か所で保持されるよりも、２か所で保持された方が支点が多くなるため、安定する。
【００２５】
（４）バッグ１は保温シート７０を備えているので、例えば調理済みの食品をあたたかい状態のまま運搬することができる。
【００２６】
（第２実施形態）
次に、第２実施形態を図７に例示する。
第２実施形態は、第１実施形態のバッグ１に腰巻きつけようのベルト９を付加したものである。
このベルト９を、水平固定ベルト９と称することにする。
水平固定ベルト９は、バッグ１の側面部２２のうちで、第１保持手段３および第２保持手段４の接合部３１、３２、４１、４２がない面に設けられている。
図７では、手前側の面、つまり、蓋部８が開く側に水平固定ベルト９が設けられている。
もちろん、その反対側の面、つまり、蓋部８と側面部２２とが繋がっている側に水平固定ベルト９が設けられていてもよい。
あるいは、水平固定ベルト９と側面部２２とは着脱可能にしておいてもよい。例えば、面ファスナー（商標名でいうとマジックテープやベルクロ）を所定位置に設けておけば、水平固定ベルト９と側面部２２とを着脱可能にできる。
【００２７】
水平固定ベルト９の一端にバックルの雌部材９２が取り付けられており、水平固定ベルト９の中間にその位置が移動可能かつ固定できるようにバックルの雄部材９３が設けられている。
そして、側面部２２の一面において、水平固定ベルト９の所定長さが水平方向に側面部２２に固定されている。
【００２８】
運搬手段５を肩にかけ、リング６１、６２とアーチ部３３，４３とを相対的に動かすことで、収納手段２を水平にできることは第１実施形態で説明した通りである。
運搬者は、収納手段２が水平になった状態で水平固定ベルト９を腰に巻き付け、バックル９２、９３を留め、雄部材９３の位置を調整して水平固定ベルト９を締め、バッグ１を腰に引き寄せて押し付けるようにする。
この状態でバッグ１は腰に固定され、水平を保ったままで安定するようになる。
【００２９】
水平固定ベルト９がなかったとしても、バッグ１が体の横あるいは前にある状態で運搬者が歩くのであれば、収納手段２が水平に保たれると思われる。
ここで、移動距離が長いような場合、運搬者がたとえは自転車に乗ることが考えられる。
この場合、運搬者はバッグ１を背中側に配した状態で自転車に乗りたい。
そして、立ちこぎをしたり、カーブを曲がったりする。
このとき、バッグ１が振られて運搬者の体を離れたりすると、バッグの水平が維持されなくなるし、バッグが体と衝突したりすると、収納手段の中身に衝撃が掛かることになるので望ましくない。
【００３０】
この点、第２実施形態によれば、バッグ１は肩から吊られるとともに水平固定ベルト９によって腰に固定されているので、運搬者がある程度自身の姿勢に注意すれば、バッグ１は水平を保った状態に維持される。
バッグ１を背中側に配したとしても、バッグ１はほぼ水平を保って安定する。
本実施形態のバッグは背負いタイプのリュックではないが、バッグ１を背中側に配した状態で水平固定ベルト９でバッグ１を腰に当てて固定すれば、リュックと同じような背負った使用形態をとることができる。
そして、自転車を降りたら、水平固定ベルト９は付けたままでバッグ１を体の横や前に回して歩行すればよい。
リュックタイプと違って、肩掛けタイプであるから、水平固定ベルト９を付けたままでバッグ１を体の横や前に回すことができる。
【００３１】
（変形例）
なお、本発明は前記実施形態に限定されるものではなく、本発明の目的を達成できる範囲での変形、改良等は本発明に含まれるものである。
例えば、前記実施形態では、収納手段２における収納部７にはお弁当を収納していたが、お弁当に限らず、どのようなものを収納して運搬してもよい。
また前記実施形態では、底面部２１は略矩形状に形成されていたが、略円状に形成されていてもよい。要するに、底面部は、所定の面積を有する板状であればよい。
【００３２】
前記実施形態では、第１リング６１が第１保持手段３と第１接続部５１とを連結し、第２リング６２が第２保持手段４と第２接続部５２とを連結していた。ここで、第１リング６１と第２リング６２とを合体させて大きな一つの輪っかにして、この１個のリングで、第１保持手段、第１接続部、第２保持手段および第２接続部を連結するようにしてもよい。
また、リング６は、長方形でなく、略円状でもよい。要するに、リングは、収納手段と運搬手段とを連結し、第１保持手段および第２保持手段のアーチ部とリングの内輪とが相対的に移動することができればよい。
【００３３】
前記実施形態では、運搬手段５、第１保持手段３および第２保持手段４は、帯紐ではなくてもよく、断面円形状の紐状であってもよい。
【符号の説明】
【００３４】
１…バッグ、２…収納手段、３…第１保持手段、４…第２保持手段、５…運搬手段、６…リング、７…収納部、３１，３２，４１，４２…接合部、３３，４３…アーチ部、５１…第１接続部、５２…第２接続部、７０…保温シート、９…水平固定ベルト。
【図１】
2020065930.tif 000003
【図２】
2020065930.tif 000004
【図３】
2020065930.tif 000005
【図４】
2020065930.tif 000006
【図５】
2020065930.tif 000007
【図６】
2020065930.tif 000008
【図７】
2020065930.tif 000009